(57)【特許請求の範囲】
【請求項１】
丸形の蛍光ランプの照度を上げるようにした照明装置であって、
前記丸形の蛍光ランプに沿うように環形状に形成され、前記丸形の蛍光ランプの内径側の部分から外径側の部分に至る半円周面の上側に係止して、該上側の半円周面を全体的にあるいは部分的に外部から覆うことで、前記蛍光ランプから上方あるいは斜め上方に放射される光を下方へ反射させる反射部材を備え、
前記蛍光ランプは、その丸形の円周を２または３等分する位置で照明装置の支持部材により支持されており、
前記反射部材は、６角形状または１２角形状に形成されており、
前記反射部材の角部は、前記照明装置の支持部材に対応するように配されている
ことを特徴とする照明装置。
【発明の詳細な説明】
【０００１】
【発明の属する技術分野】
本発明は、丸形の蛍光ランプの照度を上げるようにした照明装置に関し、特に反射部材を設けたものに関する。
【０００２】
【従来の技術】
従来の照明装置としては、トラフ形笠や逆富士形笠の内面を白色面にしていて、蛍光ランプから上方あるいは斜め上方に放射される光を下方に反射させるようにして、照度を上げるようにしたものが一般的である。また、その照度をさらに上げるように笠の内面を鏡面にしたものもある。
【０００３】
【発明が解決しようとする課題】
しかしながら、このような従来の照明装置では、その照度を上げるべく、笠の内面を白色面にした一般的なものから鏡面にした新たなものに交換すると、コストが嵩むという問題点があった。また、交換すべき笠と照明装置本体との取付性が良くなかったりして、交換作業が煩わしいという問題点もある。
【０００４】
本発明は、このような従来の問題点に着目してなされたもので、既存の一般的な照明装置に反射部材を取り付けるだけで、照度を上げるようにし、コストを低減することができると共に、反射部材の取付作業が容易な照明装置を提供することを目的としている。
【０００５】
【課題を解決するための手段】
かかる目的を達成するための本発明の要旨とするところは、次の項の発明に存する。
［１］丸形の蛍光ランプ（２０）の照度を上げるようにした照明装置であって、
前記丸形の蛍光ランプ（２０）に沿うように環形状に形成され、前記丸形の蛍光ランプ（２０）の内径側の部分（２２）から外径側の部分（２４）に至る半円周面（２５）の上側に係止して、該上側の半円周面（２５）を全体的にあるいは部分的に外部から覆うことで、前記蛍光ランプ（２０）から上方あるいは斜め上方に放射される光を下方へ反射させる反射部材（３０）を備え、
前記蛍光ランプ（２０）は、その丸形の円周を２または３等分する位置で照明装置の支持部材（１３、１４）により支持されており、
前記反射部材（３０）は、６角形状または１２角形状に形成されており、
前記反射部材（３０）の角部（３４）は、前記照明装置の支持部材（１３、１４）に対応するように配されている
ことを特徴とする照明装置。
【００１７】
次に、前記項に記載された発明の作用について説明する。
反射部材（３０）は丸形の蛍光ランプ（２０）に沿うように環形状に形成されている。その反射部材（３０）は、蛍光ランプ（２０）の内径側の部分（２２）から外径側の部分（２４）に至る半円周面（２５）の上側に係止して、該上側の半円周面（２５）を全体的にあるいは部分的に外部から覆っている。それにより、反射部材（３０）の取付作業が容易になるとともに、特別な取付部材が不要になり、さらにコストを低減できる。
【００１８】
蛍光ランプ（２０）から上方あるいは斜め上方に放射される光は、反射部材（３０）で下方へ反射させる。それにより、蛍光ランプ（２０）の上方灯に放射される光を逃がすことなく、下方へ向けることができ、蛍光ランプ（２０）の照度を上げることができる。
【００２５】
さらに、反射部材（３０）は多角形状に形成されている。多角形状の数は多すぎたり少なすぎたりすると蛍光ランプ（２０）の照度を十分に上げることができない。具体的には、反射部材（３０）は６角形状または１２角形状に形成されている。
【００２６】
このとき、反射部材（３０）の角部（３４）は照明装置の支持部材（１３、１４）に対応するように配される。それにより、蛍光ランプ（２０）と反射部材（３０）の角部（３４）との間に形成された隙間に、照明装置の支持部材（１３、１４）が通るようになり、支持部材（１３、１４）を外すことなく、反射部材（３０）を取り付けることができ、取付作業が容易になる。
【００３１】
【発明の実施の形態】
以下、図面に基づき本発明の一実施の形態を説明する。
各図は本発明の一実施の形態を示している。
図１は発明の一実施の形態に係る照明装置の正面図、図２は同じく照明装置の蛍光ランプおよび反射部材を下方から見た底面図、図３は図２のＩＩＩ−ＩＩＩ線断面図、図４は反射部材を斜め下方から見た斜視図である。
【００３２】
図１〜図４に示すように、本発明の一実施の形態に係る照明装置は、丸形の蛍光ランプ２０の照度を上げるようにしたものである。照明装置の略円筒形の本体１１は天井等につり下げられ、本体１１の周壁には支持環１２が固設され、支持環１２からフックである支持部材１３、１４が延設されている。本体１１〜支持部材１４および後述する蛍光ランプ２０の全てを上方から覆うように笠１５が設けられている。
【００３３】
各支持部材１３、１４は２種類設けられ、３２Ｗの蛍光ランプ２０および４０Ｗの蛍光ランプ２０をそれぞれ支持している。各蛍光ランプ２０はその丸形の円周を３等分する位置で照明装置の支持部材１３、１４によりそれぞれ支持されている。
【００３４】
丸形の蛍光ランプ２０に沿うように環形状に形成された反射部材３０が備えられている。本実施の形態では反射部材３０が４０Ｗの蛍光ランプ２０に沿うように設けられている。反射部材３０は、丸形の蛍光ランプ２０の内径側の部分２２から外径側の部分２４に至る半円周面２５の上側を全体的にあるいは部分的に外部から覆うことで、蛍光ランプ２０から上方あるいは斜め上方に放射される光を下方へ反射させるものである。
【００３５】
反射部材３０は、蛍光ランプ２０の半円周面２５の上側に係止することで、照明装置に取り付けられている。すなわち、反射部材３０は、蛍光ランプ２０に対し下方から外嵌すべく蛍光ランプ２０の外径より大径の第１状態から上側の半円周面２５に係止すべく蛍光ランプ２０の外径より小径の第２状態へ縮径可能に構成されている。
【００３６】
図５は反射部材を斜め上方から見た部分斜視図、図６は反射部材の平面図、図７は反射部材の底面図、図８は反射部材の正面図である。図１および図５〜図６に示すように、反射部材３０は、環形状の一部に開口３２を有する略Ｃ字形状に形成され、その開口２２を閉じることで、第１状態（大径の状態）から第２状態（小径の状態）へ縮径可能なように構成されている。また、反射部材３０は、第１状態から第２状態に復元する復元力を有している。
【００３７】
反射部材３０は多角形状に形成されている。本実施の形態では、反射部材３０は１２角形状に形成されている。反射部材３０の角部３４は、照明装置の支持部材１３、１４に対応するように配され、蛍光ランプ２０と角部３４との間の隙間に支持部材１３、１４が通るようになっている。反射部材３０は６の倍数の多角形状に形成されていればよく、６角形状あるいは１８角形状以上であってもよい。
【００３８】
図３に示すように、環形状の反射部材３０は、その反射部材３０の径方向で破断した断面が外部から閉じられた閉空間を形成していて、閉空間は４つの面で閉じられて成る。４つの面は、蛍光ランプ２０に対向する第１反射部３６および第２反射部３７と、取付状態で垂直面となる外周面３８および、取付状態で水平面となる上面部３９である。
【００３９】
第１反射部３６は、環形状の反射部材３０の径方向に対して所定の第１角度θ１で傾斜していて、蛍光ランプ２０の上側の半円周面２５に係止している。第２反射部３７は、第１反射部３６に連続し、環形状の反射部材３０の径方向に対して所定角度より大きな第２角度θ２で傾斜していて、蛍光ランプ２０の上側の半円周面２５に隙間をもって対向している。
【００４０】
図９は反射部材３０の展開した状態を示す正面図である。図９で示す一点鎖線は、反射部材３０の曲げ線である。前記展開した状態の反射部材３０ａは薄板を複数の曲げ工程を経て成形される。前記展開した状態の反射部材３０ａにおいて、第１反射部３６および第２反射部３７とすべき面は１層以上の薄膜が施されていて鏡面になっている。
【００４１】
前記展開した状態の反射部材３０ａにおいて、隣接する外周面３８に相当する板同士はつながっている。一方、隣接する第１反射部３６に相当する板同士の間に略Ｖ字形の切り込み部３６ａが入れられ、隣接する第２反射部３７に相当する板同士の間に直線的な切り込み部３７ａが入れられている。また、隣接する上面部３９に相当する板同士の間に直線的な切り込み部３９ａが入れられている。さらに、反射部材３０ａの一端部に位置する外周面３８には延長部３８ａが形成されている。
【００４２】
薄板の折曲げ工程において、略Ｖ字形の切り込み部３６ａを設けることによって、隣接する第１反射部３６同士は肉余りが生じることなく重り合うことはない。一方、直線的な切り込み部３９ａを設けることによって、隣接する上面部３９同士は肉余りが生じて重なり合う。第１反射部３６の端部に連続して形成された折り返し部３６ｂを前記各上面部３９の端部３９ｂに重ね、各上面部３９の端部３９ｂが浮き上がらないように抑えることで、外観品質を高めるとともに、折り返し部３６ｂによって第１反射部３６の端部および上面部３９の端部３９ｂの各々の切り縁を外部から覆うことで、安全性を高めることができる。
【００４３】
次に、本実施の形態の作用について説明する。
反射部材３０は丸形の蛍光ランプ２０に沿うように環形状に形成されている。その反射部材３０は、蛍光ランプ２０の内径側の部分２２から外径側の部分２４に至る半円周面２５の上側を全体的にあるいは部分的に外部から覆っている。このとき、反射部材３０は蛍光ランプ２０の半円周面２５に近接しあるいは接している。
【００４４】
蛍光ランプ２０から上方あるいは斜め上方に放射される光は、反射部材３０で下方へ反射させる。それにより、蛍光ランプ２０の上方等に放射される光を逃がすことなく、下方へ向けることができ、蛍光ランプ２０の照度を上げることができる。具体的には、蛍光ランプ２０の上方等に放射される光は反射部材３０の第１反射部３６および第２反射部３７に入射することで下方へ反射するようになる。
【００４５】
反射部材３０は丸形の蛍光ランプ２０に沿うように配されるものであるが、蛍光ランプ２０の半円周面２５の上側に係止することで支持される。反射部材３０を蛍光ランプ２０の半円周面２５に直接係止することにより、反射部材３０の取付作業が容易になるとともに、特別な支持部材が不要になり、さらにコストを低減できる。
【００４６】
この反射部材３０は蛍光ランプ２０を取り外すことなく装置本体に取り付けることができる。すなわち、蛍光ランプ２０の外径より大径の第１状態の反射部材３０を蛍光ランプ２０に対し下方から外嵌するように蛍光ランプ２０の外側に通すことで、蛍光ランプ２０の上方に移動する。
【００４７】
次に、第１状態の反射部材３０を第２状態に縮径する。それにより、反射部材３０の半円周面２５の上側を全体的にあるいは部分的に外部から反射部材３０で覆うことができる。この反射部材３０は第２状態になることで、蛍光ランプ２０の半円周面２５の上側に係止可能になり、反射部材３０の特別な取付部材が不要になる。
【００４８】
このように、反射部材３０は縮径可能であるが、具体的には、反射部材３０の環形状の一部に開口２２を有する略Ｃ字形状に形成されている。そして、その開口２２を閉じることで、反射部材３０を第１状態から第２状態へ縮径可能になる。
【００４９】
また、反射部材３０は第１状態から第２状態に復元する復元力を有している。反射部材３０を復元力に抗して第２状態から第１状態に変形しておき、反射部材３０を蛍光ランプ２０の外側を通過させて蛍光ランプ２０の上方に移動した後に、反射部材３０をその復元力で第２状態に復元するようにすれば、反射部材３０が蛍光ランプ２０の上側の半円周面２５に係止する状態になるので、反射部材３０の取付作業が極めて容易になる。第１状態では反射部材３０の一端側の外周面３８の延長部３８ａとその他端側の外周面３８との両者が相互にずれる一方、第２状態では両者が相互に重なるようになっている。
【００５０】
さらに、反射部材３０は多角形状に形成されている。本実施の形態では、反射部材３０は１２角形状に形成されている。反射部材３０の多角形状の数は、６、１２、１８、２４…というように６の倍数で順に多くすることができるが、その多角形状の数を多くしていって円形状に近づくほど蛍光ランプ２０の照度を十分に上げることができないという結果を得ている。反対に、反射部材３０の多角形状の数は、６より少ないと、蛍光ランプ２０に反射部材３０を取り付ける際に、支持部材１３、１４に干渉したりして、取付作業性がよくない。
【００５１】
すなわち、反射部材３０を１２角形状にすることで、反射部材３０の角部２４を照明装置の支持部材１３、１４に対応するように配することができる。それにより、蛍光ランプ２０と反射部材３０の角部２４との間に形成された隙間に、照明装置の支持部材１３、１４が通るようになり、支持部材１３、１４を外すことなく、反射部材３０を取り付けることができ、取付作業性が容易になる。
【００５２】
反射部材３０は平面的に見ると環形状（実施の形態では１２角形状）であるが、環形状の反射部材３０の径方向で破断すると、第１反射部３６〜上面部３９の４面により閉じられた閉空間が形状されている。このように、反射部材３０を閉断面形状にすることで、反射部材３０の強度を高めることができるとともに、重量が嵩まないで、軽量化を図ることができる。
【００５３】
反射部材３０の第１反射部３６は蛍光ランプ２０の半円周面２５の上側に係止していて、反射部材３０の径方向に対して第１角度θ１で傾斜していて、蛍光ランプ２０から主に上方に放射される光を略下方に反射する。また、反射部材３０の第２反射部３７は、上側の半円周面２５に隙間をもって対向していて、反射部材３０の径方向に対して第２角度θ２で傾斜していて、蛍光ランプ２０から斜め上方に放射される光を略下方に反射するようになっている。
【００５４】
なお、前記実施の形態においては、４０Ｗの蛍光ランプ２０に対し下方から外嵌すべく蛍光ランプ２０の外径より大径の第１状態から上側の半円周面２５に係止すべく蛍光ランプ２０の外径より小径の第２状態へ縮径可能に構成されたものを示したが、これに限らない。すなわち、４０Ｗの蛍光ランプ２０に対し下方から内嵌すべく蛍光ランプ２０の内径より小径の第３状態から上側の半円周面２５に係止すべく蛍光ランプ２０の内径より大径の第４状態へ拡径可能に構成されていてもよい。
【００５５】
この場合、反射部材３０は、例えば、環形状の一部に部材同士の重なる重畳部が形成され、その部材同士の重なり代を減少させることで、第３状態から第４状態へ拡径可能なように構成される。反射部材３０は、その復元力によって、第３状態から第４状態へ変形可能に構成されている。このように、反射部材３０を蛍光ランプ２０の内径側に通すときには、蛍光ランプ２０のコネクタ２６を避けるように反射部材３０を形成すればよい。
【００５６】
同じように、反射部材３０を３２Ｗの蛍光ランプ２０に沿うように設けても良い。その際、反射部材３０の取付は、その蛍光ランプ２０に外嵌するように蛍光ランプ２０の外側に通してもよく、蛍光ランプ２０に内嵌するように蛍光ランプ２０の内側に通すようにしてもよい。
【００５７】
反射部材３０は第１状態あるいは第３状態に復元する復元力を有していてもよい。この場合、反射部材３０を蛍光ランプ２０の外径側あるいは内径側に通すには、反射部材３０をその復元力に抗して第２状態あるいは第４状態に変形させる必要がある。
【００５８】
また、各蛍光ランプ２０がその丸形の円周を２等分する位置で照明装置の支持部材１３、１４によりそれぞれ支持される場合にも、反射部材３０が６角形状または１２角形状に形成されているので、反射部材３０の角部３４が、照明装置の支持部材１３、１４に対応して配されるようになり、蛍光ランプ２０と角部３４との間の隙間を支持部材１３、１４が通るようになり、蛍光ランプ２０を支持部材１３、１４から外さずに、反射部材３０を取り付けることができる。
【００５９】
さらに、第１反射部３６および第２反射部３７とすべき側の面を鏡面とした薄板を複数の曲げ工程によって反射部材３０を成形するものを示したが、樹脂材を射出成形した後に、第１反射部３６および第２反射部３７とすべき側の面に蒸着により薄膜を形成するようにしたものであってもよい。
【００６０】
さらに、反射部材３０を蛍光ランプ２０に直接的に係止するものを示したが、蛍光ランプ２０に近接させて配するようにしても良い。この場合、蛍光ランプ２０は照明装置の本体１１や笠１５に支持されることになる。
さらに、反射部材３０を蛍光ランプ２０の下方からその上方へ通した後に、蛍光ランプ２０の上側の半円周面２５に係止して取り付けるものを示したが、例えば、照明装置の本体１１から蛍光ランプ２０を外し、その蛍光ランプ２０の上側の半円周面２５に反射部材３０を取り付けた後に、反射部材３０を蛍光ランプ２０とともに本体１１に取り付けるようにしてもよい。
【００６１】
さらに、図１０〜図１４は本発明の他の一実施の形態に係る照明装置を示している。図１０は、本発明の他の一実施の形態に係るランプおよび反射部材を正面から見た斜視図、図１１は反射部材を斜め上方から見た斜視図、図１２は反射部材を斜め下方から見た斜視図、図１３は図１１のＸＩＩＩ−ＸＩＩＩ線断面図である。
【００６２】
図１０〜図１３に示すように、反射部材５０は、略球形のバルブ４１を有するランプ４０の照度を上げるためのものであってもよい。すなわち、反射部材５０は、略球形のバルブ４１をその使用する状態で上半球４２と下半球４３とに仕切る大円４４の円周方向に沿うように環形状に形成されている。この反射部材５０は、上半球４２の球面を全体的にあるいは部分的に外部から覆うことで、ランプ４０から上方あるいは斜め上方に放射される光を下方へ反射させるようになっている。
【００６３】
図１３に示すように、環形状の反射部材５０は、その反射部材５０の径方向で破断した断面が外部から閉じられた閉空間を形成していて、その閉空間は上下方向でほぼ対称形であって、５つの面で閉じられて成る。５つの面は、蛍光ランプ２０に対向する第１反射部５６の一対、第２反射部５７の一対および、取付状態で垂直面となる外周面５８である。
【００６４】
図１４は反射部材５０の展開した状態を示す正面図である。図１４で示す一点鎖線は、反射部材５０の曲げ線である。前記展開した状態の反射部材５０ａは薄板を複数の曲げ工程を経て成形される。前記展開した状態の反射部材５０ａにおいて、第１反射部５６および第２反射部５７とすべき面は１層以上の薄膜が施されていて鏡面になっている。
【００６５】
前記展開した状態の反射部材５０ａにおいて、隣接する外周面５８に相当する板同士はつながっている。一方、隣接する第１反射部５６および第２反射部５７に相当する板同士の間に略Ｖ字形の切り込み部５６ａが入れられている。また、反射部材５０ａの一端部に位置する外周面５８には延長部５８ａが形成されている。
【００６６】
一対の第１反射部５６の一方の端部に連続して形成された折り返し部５６ｂを前記一対の第１反射部５６の他方の端部に重ね、他方の第１反射部５６の端部の各々が浮き上がらないように抑えることで、外観品質を高めるとともに、折り返し部５６ｂによって第１反射部５６の端部の切り縁を外部から覆うことで、安全性を高めることができる。
【００６７】
反射部材５０を照明装置の本体に取り付けるには、先ず、ランプ４０を照明装置の本体から外しておき、反射部材５０をランプ４０に外嵌させるようにそのランプ４０のコネクタ側から通し、反射部材５０をランプ４０の上半球４２の球面に係止させた後に、ランプ４０を照明装置の本体に取り付けるようにする。一方、前記蛍光ランプ２０の反射部材３０と同じように、反射部材５０は、ランプ４０の下半球４３からランプ４０の外側を通って、その上半球４２側に移動するようにしてもよい。
【００６８】
【発明の効果】
本発明に係る照明装置によれば、丸形の蛍光ランプに沿うように環形状に形成され、丸形の蛍光ランプの内径側の部分から外径側の部分に至る半円周面の上側に係止して、該上側の半円周面を全体的にあるいは部分的に外部から覆うことで、蛍光ランプから上方あるいは斜め上方に放射される光を下方へ反射させる反射部材を備えたので、既存の一般的な照明装置に反射部材を取り付けるだけで、照度を上げることができ、コストを低減することができる。
【００６９】
また、蛍光ランプの半円周面の上側に係止することで反射部材が支持されるようにしたので、反射部材の取付作業が容易になるとともに、特別な支持部材が不要になり、さらにコストを低減することができる。
さらに、蛍光ランプと反射部材の角部との間に形成された隙間に、照明装置の支持部材が通るようになり、支持部材を外すことなく、反射部材を取り付けることができ、取付作業が容易になる。
【図面の簡単な説明】
【図１】本発明の一実施の形態に係る照明装置の正面図である。
【図２】本発明の一実施の形態に係る蛍光ランプおよび反射部材を下方から見た底面図である。
【図３】図２のＩＩＩ−ＩＩＩ線断面図である。
【図４】本発明の一実施の形態に係る反射部材を斜め下方から見た斜視図である。
【図５】本発明の一実施の形態に係る反射部材を斜め上方から見た部分斜視図である。
【図６】本発明の一実施の形態に係る反射部材の平面図である。
【図７】本発明の一実施の形態に係る反射部材の底面図である。
【図８】本発明の一実施の形態に係る反射部材の正面図である。
【図９】本発明の一実施の形態に係る反射部材の展開した状態を示す正面図である。
【図１０】本発明の他の一実施の形態に係るランプおよび反射部材を正面から見た斜視図である。
【図１１】本発明の他の一実施の形態に係る反射部材を斜め上方から見た斜視図である。
【図１２】本発明の他の一実施の形態に係る反射部材を斜め下方から見た斜視図である。
【図１３】図１１のＸＩＩＩ−ＸＩＩＩ線断面図である。
【図１４】本発明の他の一実施の形態に係る反射部材の展開した状態を示す正面図である。
【符号の説明】
θ１…第１角度
θ２…第２角度
１１…本体
１２…支持環
１３、１４…支持部材
１５…笠
２０…蛍光ランプ
２２…内径側の部分
２４…外径側の部分
２５…半円周面
２６…コネクタ
３０…反射部材
３０ａ…展開した状態の反射部材
３２…開口
３４…角部
３６…第１反射部
３６ａ…切り込み部
３６ｂ…折り返し部
３７…第２反射部
３７ａ…切り込み部
３８…外周面
３８ａ…延長部
３９…上面部
３９ａ…切り込み部
４０…ランプ
４１…バルブ
４２…上半球
４３…下半球
４４…大円
５０…反射部材
５６…第１反射部
５７…第２反射部
５８…外周面
【図１】
0003839341.tif 000002
【図２】
0003839341.tif 000003
【図３】
0003839341.tif 000004
【図４】
0003839341.tif 000005
【図５】
0003839341.tif 000006
【図６】
0003839341.tif 000007
【図７】
0003839341.tif 000008
【図８】
0003839341.tif 000009
【図９】
0003839341.tif 000010
【図１０】
0003839341.tif 000011
【図１１】
0003839341.tif 000012
【図１２】
0003839341.tif 000013
【図１３】
0003839341.tif 000014
【図１４】
0003839341.tif 000015